(57)【要約】【課題】一人でも簡易にゴルフスイングのフォームを体に覚えさせることの可能なゴルフ用バンドを提供する。【解決手段】ゴルフ用バンド１００は、装着することによってゴルフスイング時のフォームを矯正するものであって、首に掛けるネック部１１０と、足に掛けるフット部１２０と、ネック部１１０とフット部１２０とを連結する連結部１３０と、を備え、ネック部１１０、フット部１２０及び連結部１３０のうち少なくとも連結部１３０は弾性部材で構成される。かかる構成によれば、ゴルフ用バンド１００を首と足に掛けるだけで弾性部材の弾性力によって、正しいゴルフスイングのフォームに導くことができる。このため、コーチがいなくても自己流になることはない。このようにして、一人でも簡易にゴルフスイングのフォームを体に覚えさせることができる。【選択図】図１
0003213370.tif 000002
【実用新案登録請求の範囲】
【請求項１】
装着することによってゴルフスイング時のフォームを矯正するゴルフ用バンドであって、
首に掛けるネック部と、
足に掛けるフット部と、
前記ネック部と前記フット部とを連結する連結部と、
を備え、
前記ネック部、前記フット部及び前記連結部のうち少なくとも前記連結部は弾性部材で構成されることを特徴とする、ゴルフ用バンド。
【請求項２】
前記ネック部と、前記フット部と、前記連結部とは直線状の１本の前記弾性部材で構成されており、
前記弾性部材の両端部を折り曲げて前記連結部に連結されて前記ネック部と前記フット部とが輪状に構成されることを特徴とする、請求項１に記載のゴルフ用バンド。
【請求項３】
前記弾性部材の両端部は、前記ネック部及び前記フット部の大きさを調整可能にトリグライドに挿通されて前記連結部に連結されていることを特徴とする、請求項２に記載のゴルフ用バンド。
【請求項４】
前記ネック部及び前記フット部には連結される位置を調整するための目盛りが設けられていることを特徴とする、請求項３に記載のゴルフ用バンド。
【請求項５】
前記弾性部材は平ゴムであることを特徴とする、請求項１〜４のいずれかに記載のゴルフ用バンド。
【考案の詳細な説明】
【技術分野】
【０００１】
本考案は、ゴルフスイングのフォームを覚えるためのゴルフ用バンドに関する。
【背景技術】
【０００２】
従来、ゴルフのスイングを上達したいときには、ゴルフスクールなどに通うのが一般的であった。ゴルフスクールではコーチの指導によってゴルフスイングのフォームを修正してもらっていた（例えば、非特許文献１参照）。
【先行技術文献】
【非特許文献】
【０００３】
【非特許文献１】インターネット＜ＵＲＬ：https://goo.gl/dgVsQ4＞
【考案の概要】
【考案が解決しようとする課題】
【０００４】
しかしながら、ゴルフスクールのコーチに指導してもらっているときにはゴルフスイングのフォームを修正できるものの、一人になると自己流のフォームに戻ってしまう。これは、コーチに指導されたフォームを頭では理解しているが、体が覚えていないことにより自己流に戻ってしまうからである。ゴルフスイングのフォームを体で覚えるためには、多大な努力と時間が必要であった。
【０００５】
そこで本考案は、このような問題に鑑みてなされたものであり、その目的とするところは、一人でも簡易にゴルフスイングのフォームを体に覚えさせることの可能なゴルフ用バンドを提供することにある。
【課題を解決するための手段】
【０００６】
上記課題を解決するために、本考案によれば、装着することによってゴルフスイング時のフォームを矯正するゴルフ用バンドであって、首に掛けるネック部と、足に掛けるフット部と、前記ネック部と前記フット部とを連結する連結部と、を備え、前記ネック部、前記フット部及び前記連結部のうち少なくとも前記連結部は弾性部材で構成されることを特徴とする、ゴルフ用バンドが提供される。
【０００７】
かかる構成によれば、ゴルフ用バンドを首と足に掛けるだけで弾性部材の弾性力によって、正しいゴルフスイングのフォームに導くことができる。このため、コーチがいなくても自己流になることはない。このようにして、一人でも簡易にゴルフスイングのフォームを体に覚えさせることができる。
【０００８】
本考案は、さまざまな応用が可能である。本考案の応用例は、任意に組み合わせることが可能である。
【０００９】
例えば、前記ネック部と、前記フット部と、前記連結部とは直線状の１本の前記弾性部材で構成されており、前記弾性部材の両端部を折り曲げて前記連結部に連結されて前記ネック部と前記フット部とが輪状に構成されるようにしてもよい。かかる構成によれば、１本の弾性部材の両端を折り曲げて連結部に連結するだけの簡単な構成であるため、ゴルフ用バンドを容易に構成することができる。
【００１０】
また、前記弾性部材の両端部は、前記ネック部及び前記フット部の大きさを調整可能にトリグライド（バックル、スライダーなどとも言われる。）に挿通されて前記連結部に連結されているようにしてもよい。弾性部材の両端部のトリグライドからの引き出し量を調整するだけで、容易にネック部及びフット部の大きさを調整したり、ゴルフ用バンド全体の長さを調整したりすることができる。
【００１１】
また、前記ネック部及び前記フット部には連結される位置を調整するための目盛りが設けられているようにしてもよい。目盛りによってネック部及びフット部の調整位置が視覚化できるため、連結位置を変えても容易に元に戻すことができる。
【００１２】
また、前記弾性部材は平ゴムであってもよい。平ゴムとは、幅に対して厚みが十分に薄い断面が略矩形状のゴムである。弾性部材を平ゴムにすることにより、体にフィットしスイングの邪魔にならない。また、フット部を足や靴で踏んでも違和感が少ない。
【考案の効果】
【００１３】
本考案によれば、ゴルフスイングのフォームを体に覚えさせることの可能なゴルフ用バンドが提供される。本考案のその他の効果については、以下の考案を実施するための形態の項でも説明する。
【図面の簡単な説明】
【００１４】
【図１】ゴルフ用バンド１００の全体構成を概略的に示す図である。
【図２】ゴルフ用バンド１００のネック部を示す図である。
【図３】ゴルフ用バンド１００のフット部を示す図である。
【図４】ゴルフ用バンド１００を装着した状態を示す図である。
【図５】ゴルフ用バンド１００の応用例を示す図である。
【考案を実施するための形態】
【００１５】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１６】
本考案の一実施形態について説明する。図１は、ゴルフ用バンド１００の全体構成を概略的に示す図である。図１はゴルフ用バンド１００の全体構成を概略的に示す図である。
【００１７】
本実施形態にかかるゴルフ用バンド１００は、図１に示したように、装着することによってゴルフスイング時のフォームを矯正するためのものである。ゴルフ用バンド１００は、首に掛けるネック部１１０と、足に掛けるフット部１２０と、ネック部１１０とフット部１２０とを連結する連結部１３０と、を備える。ネック部１１０、フット部１２０及び連結部１３０は１本の平ゴム（弾性部材）で構成されている。平ゴムは、幅に対して厚みが十分に薄い断面矩形状のゴムである。一例としては幅が５ｃｍ、厚みが数ミリ程度とすることができる。以下、各構成要素について詳細に説明する。
【００１８】
（ネック部１１０）
ネック部１１０は、ゴルフ用バンド１００を首に掛ける部分である。ネック部１１０は、図２に示したように、平ゴムの一方の端部を折り曲げて連結部１３０にトリグライド１４０で止めることによって輪状に構成されている。ネック部１１０の大きさは、一端部のトリグライド１４０からの引き出し量を調整することにより変更することができる。よって、大人や子供、痩せていたり太っていたりなど装着する人の体格に応じてネック部１１０の大きさを変えることができる。
【００１９】
（フット部１２０）
フット部１２０は、ゴルフ用バンド１００を足に掛ける部分である。フット部１２０は、図３に示したように、平ゴムの他方の端部を折り曲げて連結部１３０にトリグライド１５０で止めることによって輪状に構成されている。フット部１２０の大きさは、一端部のトリグライド１５０からの引き出し量を調整することにより変更することができる。よって、大人や子供、足の大きさなど装着する人の体格に応じてフット部１２０の大きさを変えることができる。
【００２０】
以上のように、ネック部１１０とフット部１２０はトリグライド１４０、１５０で連結部１３０との連結位置を変えることによって、ゴルフ用バンド１００の全体の大きさや部分的な大きさを変えることができる。このため、同じゴルフ用バンド１００で子供から大人まで様々な体格の人に対応することができる。
【００２１】
（連結部１３０）
連結部１３０は、ネック部１１０とフット部１２０とを連結する部分である。連結部１３０は、図１に示したように、ネック部１１０とフット部１２０との間に構成されている。連結部１３０の長さは、使用者に応じた長さであり、例えば、１００ｃｍ〜１５０ｃｍ程度である。連結部１３０には、ネック部１１０との連結側にトリグライド１４０が設けられており、また、フット部１２０との連結側にトリグライド１５０が設けられている。
【００２２】
以上、ゴルフ用バンド１００の構成について説明した。次に、ゴルフ用バンド１００の使用方法について説明する。なお、ゴルフ用バンド１００はゴルフスイングの練習時に使用されることを想定したものであるが、必ずしもこれに限定されない。
【００２３】
ゴルフ用バンド１００は、図４に示したように、ネック部１１０を首に掛け（図４（ｂ））、連結部１３０を体の前面に垂らして、フット部１２０を足に引っ掛ける（図４（ｃ））。ゴルフ用バンド１００はゴルフクラブがボールを打つ瞬間の状態で自然長になるように長さが調整される。ゴルフ用バンド１００の長さ調整は、前述のように、ネック部１１０及びフット部１２０のいずれか一方又は両方の大きさを調整することによって行う。
【００２４】
ゴルフ用バンド１００を装着した状態でスイングを行うと、平ゴムの弾性力によって、自然なフォームに矯正される。このようなスイングを続けることによって、適切なゴルフスイングのフォームを体に覚えさせることができる。
【００２５】
（本実施形態の効果）
以上説明したように、本実施形態のゴルフ用バンド１００によれば、ゴルフ用バンド１００を首と足に掛けるだけで平ゴムの弾性力によって、正しいゴルフスイングのフォームに導くことができる。このため、コーチがいなくても自己流になることはない。このようにして、一人でも簡易にゴルフスイングのフォームを体に覚えさせることができる。
【００２６】
また、１本の平ゴムの両端を折り曲げて連結部１３０に連結するだけの簡単な構成であるため、ゴルフ用バンド１００を容易に構成することができる。
【００２７】
また、トリグライド１４０、１５０からの引き出し量を調整するだけで、容易にネック部１１０及びフット部１２０の大きさを調整したり、ゴルフ用バンド１００全体の長さを調整したりすることができる。
【００２８】
また、弾性部材を平ゴムにすることにより、体にフィットしスイングの邪魔にならない。また、フット部１２０を足や靴で踏んでも違和感が少ない。
【００２９】
（応用例）
次に、上記実施形態の応用例について、図５を参照しながら説明する。図５は、上記実施形態の応用例であるゴルフ用バンド２００を示す図である。以下では、上記実施形態と異なる部分を中心に説明する。説明を省略する点については、上記実施形態の内容が準用されるものとする。
【００３０】
本応用例のゴルフ用バンド２００には、上記実施形態と同様に、首に掛けるネック部と、足に掛けるフット部と、ネック部とフット部とを連結する連結部などを備える。図５は、ゴルフ用バンド２００の一部を示す図である。ゴルフ用バンド２００のネック部２１０には、図５に示したように、目盛り２１２が設けられている。目盛り２１２は、ネック部２１０がトリグライド２４０に連結される位置を調整するためのものである。
【００３１】
ネック部２１０に目盛り２１２を設けることによって、目盛り２１２によってネック部２１０の調整位置が視覚化できるため、連結位置を変えても容易に元に戻すことができる。なお、フット部の側にも、同様の目盛りを設けることができる。
【００３２】
なお、目盛りは２１２を複数設けるようにしてもよい。使用者の身長が変わっても同じゴルフ用バンド２００を使うことができる。例えば、子供の身長が変わっても同じゴルフ用バンド２００を使うことができる。また、一つのゴルフ用バンド２００を、身長が異なる親子で使用するなど、さまざまな使用形態が可能である。
【００３３】
以上、添付図面を参照しながら本考案の好適な実施形態について説明したが、本考案はかかる例に限定されないことは言うまでもない。当業者であれば、実用新案登録請求の範囲に記載された範疇内において、各種の変更例又は修正例に想到し得ることは明らかであり、それらについても当然に本考案の技術的範囲に属するものと了解される。
【００３４】
例えば、上記実施形態では、ネック部１１０、フット部１２０及び連結部１３０は１本の弾性部材で構成されている構成としたが、本考案はこの例に限定されず、ネック部、フット部及び連結部のうち少なくとも連結部が弾性部材で構成されていればよい。
【００３５】
また、上記実施形態では、ネック部１１０及びフット部１２０と連結部１３０との連結にトリグライド１４０、１５０を用いたが、本考案はこの例に限定されず、トリグライドを用いた連結方法でなくてもよい。例えば、溶着などのネック部１１０及びフット部１２０の大きさを調整できない方法で連結してもよい。
【００３６】
また、上記実施形態では、弾性部材を平ゴムとしたが、本考案はこの例に限定されず、平ゴム以外の弾性部材を用いてもよい。例えば、円柱状のゴムや、四角柱状のゴムなどでもよい。
【００３７】
以上説明した実施形態・応用例・変形例等は、適宜組み合わせて実施することができる。
【産業上の利用可能性】
【００３８】
本考案は、ゴルフ用バンドに利用可能である。
【符号の説明】
【００３９】
１００  ゴルフ用バンド
１１０  ネック部
１１２  目盛り
１２０  フット部
１３０  連結部
１４０、１５０  トリグライド
【図１】
0003213370.tif 000003
【図２】
0003213370.tif 000004
【図３】
0003213370.tif 000005
【図４】
0003213370.tif 000006
【図５】
0003213370.tif 000007